(57)【要約】  ワイヤレス通信の方法は、接続モードギャップ中に測定ウィンドウロケーション内で検出された少なくとも２つのサブフレームから３つ以上の基準信号シンボルを選択することを含む。選択された基準信号シンボルは、少なくとも１つの非ＭＢＳＦＮサブフレームの基準信号シンボルおよび特殊サブフレームの１つの基準信号シンボルから選択される。本方法はまた、選択された基準信号シンボルを合成することと、合成することの結果に少なくとも部分的に基づいて基準信号受信電力（ＲＳＲＰ）を推定することとを含む。
2015513843.tif 000002
【特許請求の範囲】
【請求項１】
接続モードギャップ中に測定ウィンドウロケーション内で検出された少なくとも２つのサブフレームから少なくとも３つの基準信号シンボルを選択することであって、前記少なくとも３つの基準信号シンボルが、少なくとも１つの非マルチメディアブロードキャスト単一周波数ネットワーク（非ＭＢＳＦＮ）サブフレームの基準信号シンボルおよび特殊サブフレームの基準信号シンボルの中から選択される、選択することと、
前記少なくとも３つの基準信号シンボルを合成することと、
前記合成することの結果に少なくとも部分的に基づいて基準信号受信電力（ＲＳＲＰ）を推定することと
を備える、ワイヤレス通信の方法。
【請求項２】
前記少なくとも３つの基準信号シンボルが複数の別個の非ＭＢＳＦＮサブフレームからのものである、請求項１に記載の方法。
【請求項３】
前記少なくとも３つの基準信号シンボルをデスタッガすることをさらに備え、前記合成することが、前記デスタッガされた少なくとも３つの基準信号シンボルから取得されたチャネルインパルス応答（ＣＩＲ）を合成することを備える、請求項１に記載の方法。
【請求項４】
前記合成することは、異なるサブフレームが互いに隣接しないとき、非コヒーレント合成することを備える、請求項３に記載の方法。
【請求項５】
前記選択することが、前記測定ウィンドウロケーション内で検出された１つの非ＭＢＳＦＮサブフレームから４つの基準信号シンボルを選択することを備える、請求項１に記載の方法。
【請求項６】
前記選択することが、前記測定ウィンドウロケーション内で検出された１つの非ＭＢＳＦＮサブフレームからの少なくとも２つの基準信号シンボルと、前記測定ウィンドウロケーション内で検出された前記特殊サブフレームからの前記基準信号シンボルとを選択することを備える、請求項１に記載の方法。
【請求項７】
ネイバーセルの特殊サブフレーム構成が未知であるとき、前記少なくとも３つの基準信号シンボルが選択される、請求項１に記載の方法。
【請求項８】
接続モードギャップ中に測定ウィンドウロケーション内で検出された少なくとも２つのサブフレームから少なくとも３つの基準信号シンボルを選択するための手段であって、前記少なくとも３つの基準信号シンボルが、少なくとも１つの非マルチメディアブロードキャスト単一周波数ネットワーク（非ＭＢＳＦＮ）サブフレームの基準信号シンボルおよび特殊サブフレームの基準信号シンボルの中から選択される、選択するための手段と、
前記少なくとも３つの基準信号シンボルを合成するための手段と、
前記合成することの結果に少なくとも部分的に基づいて基準信号受信電力（ＲＳＲＰ）を推定するための手段と
を備える、ワイヤレス通信のための装置。
【請求項９】
選択するための前記手段が、前記測定ウィンドウロケーション内で検出された１つの非ＭＢＳＦＮサブフレームから４つの基準信号シンボルを選択するための手段を備える、請求項８に記載の装置。
【請求項１０】
選択するための前記手段が、前記測定ウィンドウロケーション内で検出された１つの非ＭＢＳＦＮサブフレームからの少なくとも２つの基準信号シンボルと、前記測定ウィンドウロケーション内で検出された前記特殊サブフレームからの前記基準信号シンボルとを選択するための手段を備える、請求項８に記載の装置。
【請求項１１】
ワイヤレス通信のためのコンピュータプログラム製品であって、前記コンピュータプログラム製品が、
プログラムコードを記録した非一時的コンピュータ可読媒体を備え、前記プログラムコードが、
接続モードギャップ中に測定ウィンドウロケーション内で検出された少なくとも２つのサブフレームから少なくとも３つの基準信号シンボルを選択するためのプログラムコードであって、前記少なくとも３つの基準信号シンボルが、少なくとも１つの非マルチメディアブロードキャスト単一周波数ネットワーク（非ＭＢＳＦＮ）サブフレームの基準信号シンボルおよび特殊サブフレームの基準信号シンボルの中から選択される、選択するためのプログラムコードと、
前記少なくとも３つの基準信号シンボルを合成するためのプログラムコードと、
前記合成することの結果に少なくとも部分的に基づいてＲＳＲＰを推定するためのプログラムコードと
を備える、コンピュータプログラム製品。
【請求項１２】
選択するための前記プログラムコードが、前記測定ウィンドウロケーション内で検出された１つの非ＭＢＳＦＮサブフレームから４つの基準信号シンボルを選択するためのプログラムコードを備える、請求項１１に記載のコンピュータプログラム製品。
【請求項１３】
選択するための前記プログラムコードが、前記測定ウィンドウロケーション内で検出された１つの非ＭＢＳＦＮサブフレームからの少なくとも２つの基準信号シンボルと、前記測定ウィンドウロケーション内で検出された前記特殊サブフレームからの前記基準信号シンボルとを選択するためのプログラムコードを備える、請求項１１に記載のコンピュータプログラム製品。
【請求項１４】
メモリと、
前記メモリに結合された少なくとも１つのプロセッサであって、
接続モードギャップ中に測定ウィンドウロケーション内で検出された少なくとも２つのサブフレームから少なくとも３つの基準信号シンボルを選択することであって、前記少なくとも３つの基準信号シンボルが、少なくとも１つの非マルチメディアブロードキャスト単一周波数ネットワーク（非ＭＢＳＦＮ）サブフレームの基準信号シンボルおよび特殊サブフレームの基準信号シンボルの中から選択される、選択し、
前記少なくとも３つの基準信号シンボルを合成し、
前記合成することの結果に少なくとも部分的に基づいて基準信号受信電力（ＲＳＲＰ）を推定する、
ように構成された少なくとも１つのプロセッサと
を備える、ワイヤレス通信のための装置。
【請求項１５】
前記少なくとも１つのプロセッサが、複数の別個の非ＭＢＳＦＮサブフレームから前記少なくとも３つの基準信号シンボルを選択するようにさらに構成された、請求項１４に記載の装置。
【請求項１６】
前記少なくとも１つのプロセッサが、
前記少なくとも３つの基準信号シンボルをデスタッガし、
前記デスタッガされた少なくとも３つの基準信号シンボルから取得されたチャネルインパルス応答（ＣＩＲ）を合成する、
ようにさらに構成された、請求項１４に記載の装置。
【請求項１７】
前記少なくとも１つのプロセッサは、異なるサブフレームが互いに隣接しないとき、前記少なくとも３つの基準信号シンボルを非コヒーレントに合成するようにさらに構成された、請求項１６に記載の装置。
【請求項１８】
前記少なくとも１つのプロセッサが、前記測定ウィンドウロケーション内で検出された１つの非ＭＢＳＦＮサブフレームから４つの基準信号シンボルを選択するようにさらに構成された、請求項１４に記載の装置。
【請求項１９】
前記少なくとも１つのプロセッサが、前記測定ウィンドウロケーション内で検出された１つの非ＭＢＳＦＮサブフレームからの少なくとも２つの基準信号シンボルと、前記測定ウィンドウロケーション内で検出された前記特殊サブフレームからの前記基準信号シンボルとを選択するようにさらに構成された、請求項１４に記載の装置。
【請求項２０】
前記少なくとも１つのプロセッサは、ネイバーセルの特殊サブフレーム構成が未知であるとき、前記少なくとも３つの基準信号シンボルを選択するようにさらに構成された、請求項１４に記載の装置。
【発明の詳細な説明】
【技術分野】
【０００１】
関連出願の相互参照
[0001]本出願は、その開示全体が参照により本明細書に明確に組み込まれる、２０１２年２月２８日に出願されたCONNECTED MODE GAP MEASUREMENT FOR LTE TDDと題する米国仮特許出願第６１／６０４，４６６号の米国特許法第１１９条（ｅ）項に基づく利益を主張する。
【０００２】
[0002]本開示の態様は、一般にワイヤレス通信システムに関し、より詳細には、ＬＴＥ  ＴＤＤ（時分割複信）のための接続モード（connected mode）ギャップ測定に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張セットである。これは、新しいスペクトルを利用し、サービスを改善し、コストを下げ、スペクトル効率を改善することによってモバイルブロードバンドインターネットアクセスをより良くサポートし、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様によれば、ワイヤレス通信の方法が提示される。本方法は、接続モードギャップ中に測定ウィンドウロケーション内で検出された少なくとも２つのサブフレームから３つ以上の基準信号シンボルを選択することを含む。本方法はまた、選択された基準信号シンボルを合成することを含む。本方法は、合成することの結果に少なくとも部分的に基づいて基準信号受信電力（ＲＳＲＰ：reference signal received power）を推定することをさらに含む。
【０００６】
[0006]本開示の別の態様によれば、ワイヤレス通信のための装置が提示される。本装置は、接続モードギャップ中に測定ウィンドウロケーション内で検出された少なくとも２つのサブフレームから３つ以上の基準信号シンボルを選択するための手段を含む。本装置はまた、選択された基準信号シンボルを合成するための手段を含む。本装置は、合成することの結果に少なくとも部分的に基づいてＲＳＲＰを推定するための手段をさらに含む。
【０００７】
[0007]また別の態様によれば、ワイヤレス通信のためのコンピュータプログラム製品が提示される。本コンピュータプログラム製品は、プログラムコードを記録した非一時的コンピュータ可読媒体を含む。プログラムコードは、接続モードギャップ中に測定ウィンドウロケーション内で検出された少なくとも２つのサブフレームから３つ以上の基準信号シンボルを選択するためのプログラムコードを含む。プログラムコードはまた、選択された基準信号シンボルを合成するためのプログラムコードを含む。プログラムコードは、合成することの結果に少なくとも部分的に基づいてＲＳＲＰを推定するためのプログラムコードをさらに含む。
【０００８】
[0008]さらにまた別の態様によれば、ワイヤレス通信のための装置が提示される。本装置は、メモリと、メモリに結合された（１つまたは複数の）プロセッサとを含む。（１つまたは複数の）プロセッサは、接続モードギャップ中に測定ウィンドウロケーション内で検出された少なくとも２つのサブフレームから３つ以上の信号シンボルを選択するように構成される。（１つまたは複数の）プロセッサはまた、選択された基準信号シンボルを合成するように構成される。（１つまたは複数の）プロセッサは、合成することの結果に少なくとも部分的に基づいてＲＳＲＰを推定するようにさらに構成される。
【０００９】
[0009]以下で、本開示の追加の特徴および利点について説明する。本開示は、本開示の同じ目的を実行するための他の構造を設計または変更するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１０】
[0010]本開示の特徴、特性、および利点は、全体を通じて同様の参照符号が同様のものを指す図面とともに、以下に記載する発明を実施するための形態を読めばより明らかになろう。
【図面の簡単な説明】
【００１１】
【図１】[0011]ネットワークアーキテクチャの一例を示す図。
【図２】[0012]アクセスネットワークの一例を示す図。
【図３】[0013]ＬＴＥにおけるダウンリンクフレーム構造の一例を示す図。
【図４】[0014]ＬＴＥにおけるアップリンクフレーム構造の一例を示す図。
【図５】[0015]ユーザプレーンおよび制御プレーンのための無線プロトコルアーキテクチャの一例を示す図。
【図６】[0016]アクセスネットワーク中の発展型ノードＢおよびユーザ機器の一例を示す図。
【図７】[0017]本開示の一態様によるダウンリンクサブフレームの一例を示す図。
【図８】[0018]本開示の一態様による、ダウンリンクサブフレームと測定ウィンドウとの間のタイミングオフセットを示す図。
【図９】[0019]本開示の態様による、基準信号シンボルを合成するための例を示す図。
【図１０】[0019]本開示の態様による、基準信号シンボルを合成するための例を示す図。
【図１１Ａ】[0019]本開示の態様による、基準信号シンボルを合成するための例を示す図。
【図１１Ｂ】[0019]本開示の態様による、基準信号シンボルを合成するための例を示す図。
【図１２】[0020]本開示の一態様による、ギャップ測定のために基準信号シンボルを合成するための方法を示すブロック図。
【図１３】[0021]例示的な装置中の異なるモジュール／手段／構成要素を示すブロック図。
【詳細な説明】
【００１２】
[0022]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１３】
[0023]様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素がハードウェアとして実装されるのか、ソフトウェアとして実装されるのか、それらの組合せとして実装されるのかは、特定の適用例および全体的なシステムに課された設計制約に依存する。
【００１４】
[0024]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。
【００１５】
[0025]したがって、１つまたは複数の例示的な実施形態では、説明する機能は、ハードウェア、ソフトウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１６】
[0026]図１は、ＬＴＥネットワークアーキテクチャ１００を示す図である。ＬＴＥは、概して、ＬＴＥおよびＬＴＥアドバンストを指すことがある。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１７】
[0027]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、タブレット、ネットブック、スマートブック、ｕｌｔｒａｂｏｏｋ、カメラ、ゲーム機、または任意の他の好適なデバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１８】
[0028]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、パケット交換（ＰＳ：Packet-Switched）ストリーミングサービス（ＰＳＳ：PS Streaming Service）とを含み得る。
【００１９】
[0029]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮｏｄｅＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２０】
[0030]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭ（直交周波数分割多重）がダウンリンク上で使用され、ＳＣ−ＦＤＭＡ（シングルキャリア周波数分割多元接続）がアップリンク上で使用される。当業者なら以下の詳細な説明から容易に諒解するように、本明細書で提示する様々な概念は、ＬＴＥ／ＬＴＥアドバンスト適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２１】
[0031]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２２】
[0032]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２３】
[0033]以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２４】
[0034]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、Ｒ３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２５】
[0035]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００２６】
[0036]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００２７】
[0037]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２８】
[0038]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００２９】
[0039]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３０】
[0040]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットの再統合およびセグメンテーションと、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３１】
[0041]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３２】
[0042]図６は、アクセスネットワーク中でＵＥ６５０と通信しているｅノードＢ６１０のブロック図である。ダウンリンクでは、コアネットワークからの上位レイヤパケットが、コントローラ／プロセッサ６７５に与えられる。コントローラ／プロセッサ６７５は、Ｌ２レイヤの機能を実装する。ダウンリンクでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３３】
[0043]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３４】
[0044]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００３５】
[0045]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３６】
[0046]アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００３７】
[0047]ｅノードＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３８】
[0048]アップリンク送信は、ＵＥ６５０における受信機機能に関して説明した方法と同様の方法でｅノードＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３９】
[0049]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４０】
ＬＴＥ  ＴＤＤのための接続モードギャップ測定
[0050]接続モードでは、ユーザ機器（ＵＥ）は、インター−フリークエンシー（inter-frequency）ネイバーセルの基準信号受信電力（ＲＳＲＰ）を測定するために６ミリ秒（ｍｓ）ギャップを使用する。ＵＥは、ギャップ中にデータを送信せず、基準信号受信電力を測定するためにネイバーセルキャリア周波数に同調する。ＵＥは、ギャップごとに１つまたは複数のネイバーセルを測定し得る。場合によっては、ＵＥは、識別されたインター−フリークエンシーネイバーセルについて基準信号受信電力と基準信号受信品質（ＲＳＲＱ：reference signal received quality）とを測定する。測定された基準信号受信電力は、ＵＥが、サービングセルよりも強いネイバーセルへのハンドオーバを要求すべきかどうかを判断するために使用され得る。
【００４１】
[0051]無線周波数（ＲＦ）離調および再同調時間を考慮して、基準信号受信電力を測定するためのサンプルキャプチャ持続時間は約５．０８３ｍｓ（たとえば、５つのサブフレーム（ＳＦ）と１つのＯＦＤＭシンボルの和）である。いくつかの構成では、６つのリソースブロック（ＲＢ）が狭帯域基準信号受信電力測定のために使用され得る。本開示では、たとえば、その５．０８３ｍｓ測定ウィンドウが測定ウィンドウと呼ばれることがある。
【００４２】
[0052]ＭＢＳＦＮ（マルチメディアブロードキャスト単一周波数ネットワーク（multimedia broadcast single frequency network）またはマルチメディアブロードキャストマルチキャストサービス単一周波数ネットワーク（multimedia broadcast multicast service single frequency network））では、ＵＥがネイバーセルのＭＢＳＦＮ構成に気づいていないことがあるので、基準信号受信電力を測定するために非ＭＢＳＦＮサブフレームが使用され得る。各ダウンリンクサブフレームの基準信号シンボル（ＲＳＳ：reference signal symbol）が基準信号受信電力を測定するために使用される。特に、ダウンリンクサブフレームの４つの基準信号シンボルが基準信号受信電力を測定するために使用され得る。基準信号受信電力を測定するために基準信号シンボルを使用することは、時間領域チャネルインパルス応答（ＣＩＲ：channel impulse response）を取得するために基準信号をデスタッガ（destagger）することを指すことに留意されたい。より詳細には、２つの連続する基準信号シンボルがデスタッガされ、チャネルエネルギー応答（ＣＥＲ：channel energy response）を取得するために、２つのＣＩＲが合成される。基準信号受信電力はチャネルエネルギー応答から取得される。基準信号受信電力を取得するための基準信号シンボルの使用について、以下でより詳細に説明する。
【００４３】
[0053]ＬＴＥネットワークでは、２つの連続する基準信号シンボルは、異なるロケーションにおけるパイロットトーンを用いて指定される。１つの基準信号シンボルのパイロットトーンのロケーションは、前の基準信号シンボルのそれからトーン間隔の半分だけシフトされ得る。デスタッガは、有効トーン間隔を低減するための、周波数領域における２つの隣接する基準信号シンボルの合成を指す。低減された有効トーン間隔は、システムがより長い遅延拡散に適応することを可能にし得る。
【００４４】
[0054]時分割複信（ＴＤＤ）の場合、非ＭＢＳＦＮダウンリンクサブフレームは、サブフレーム０（ＳＦ０）、サブフレーム１（ＳＦ１）、サブフレーム５（ＳＦ５）、およびサブフレーム６（ＳＦ６）である。さらに、周波数分割複信（ＦＤＤ）の場合、非ＭＢＳＦＮダウンリンクサブフレームは、ＳＦ０、サブフレーム４（ＳＦ４）、ＳＦ５、およびサブフレーム９（ＳＦ９）である。
【００４５】
[0055]ＦＤＤシステムでは、各非ＭＢＳＦＮサブフレーム（ＳＦ０、ＳＦ４、ＳＦ５、およびＳＦ９）は、基準信号受信電力を測定するために使用され得る４つの基準信号シンボル（ＲＳＳ０、ＲＳＳ４、ＲＳＳ７、およびＲＳＳ１１）を有する。さらに、ＴＤＤシステムでは、ＳＦ０およびＳＦ５は、基準信号受信電力を測定するために利用可能な４つの基準信号シンボル（ＲＳＳ０、ＲＳＳ４、ＲＳＳ７、およびＲＳＳ１１）をもつ通常のダウンリンクサブフレームと見なされる。さらに、ＴＤＤシステムでは、ＳＦ１およびＳＦ６は特殊サブフレームである。
【００４６】
[0056]特殊サブフレームは、特殊サブフレーム構成に基づいて、基準信号受信電力測定のために利用可能な１〜４つの基準信号シンボルを有し得る。ＵＥがネイバーセルの特殊サブフレーム構成に気づいていない場合、ＵＥは、ただ１つの基準信号シンボルが利用可能であるワーストケース構成を仮定する。すなわち、ワーストケース構成は、ＳＦ１またはＳＦ６の完全なダウンリンクサブフレームが保証されない構成を指し、したがって、ＵＥは、４つの基準信号シンボルのうちの１つのみが利用可能であると仮定する。したがって、ＵＥがネイバーセルの特殊サブフレーム構成に気づいていないとき、特殊サブフレーム（ＳＦ１およびＳＦ６）の各々の１つの基準信号シンボルが基準信号受信電力を測定するために使用される。
【００４７】
[0057]したがって、ＴＤＤ−ＭＢＳＦＮシステムでは、特殊サブフレーム（ＳＦ１およびＳＦ６）についてただ１つの基準信号シンボルが使用され得るので、基準信号の測定は、非ＭＢＳＦＮダウンリンクサブフレームと測定ウィンドウとの整合に基づいて、基準信号シンボルを合成するために異なるパターンを指定する。本開示の一態様では、非ＭＢＳＦＮダウンリンクサブフレームに関する測定ウィンドウロケーションに基づいて、異なるサブフレームからの基準信号シンボルを合成するための一般化された測定ストラテジについて説明する。
【００４８】
[0058]従来のＦＤＤシステムでは、基準信号受信電力は、送信／受信ペアごとに１２個の基準信号周波数トーンを抽出することによって測定される。１２個の基準信号周波数トーンを抽出した後に、第１、第２、第３、および第４の基準信号シンボルが、２つの３２タップ時間領域チャネルインパルス応答（ＣＩＲ）を取得するためにデスタッガされる。２つのＣＩＲは、チャネルエネルギー応答（ＣＥＲ）を取得するために合成される。基準信号受信電力は、ＣＥＲからエネルギータップを識別し、蓄積することによって推定される。一構成では、最大推定基準信号受信電力は受信した送信から選択される。
【００４９】
[0059]場合によっては、信号エネルギータップはしきい値処理によって識別される。しきい値は、ＣＥＲから雑音電力を推定し、推定された雑音電力に定数を乗算することによって取得される。
【００５０】
[0060]一構成では、ＴＤＤ−ＭＢＳＦＮシステムの場合、ＵＥは、（ＳＦ０、ＳＦ１、ＳＦ５、およびＳＦ６以外の）すべてのサブフレームがＭＢＳＦＮサブフレームであり、ただ１つの基準信号シンボルが特殊サブフレーム中で利用可能であるワーストケース構成を仮定する。一構成では、ワーストケース構成は、ネイバーセルが、０に等しいＵＬ＿ＤＬ＿ｃｆｇとＳＳＦ＿ｃｆｇとを有するときである。したがって、ワーストケース構成の仮定に基づいて、ＳＦ０とＳＦ５の両方から利用可能な４つの基準信号シンボルから選択された基準信号シンボルと、ＳＦ１とＳＦ６の両方から利用可能な１つの基準信号シンボルとが、基準信号受信電力測定値を推定するために使用される。
【００５１】
[0061]図７は、本開示の一態様による、ＴＤＤ−ＭＢＳＦＮシステムにおいて基準信号受信電力を測定するために利用可能な基準信号シンボルを示す図７００である。図７に示すように、ネイバーセルの４つの非ＭＢＳＦＮダウンリンクサブフレーム（ＳＦ０、ＳＦ１、ＳＦ５、およびＳＦ６）が基準信号受信電力を測定するために利用可能である。さらに、図７に示すように、ＵＥがワーストケース構成を仮定するとき、サブフレーム０および５（ＳＦ０およびＳＦ５）からの４つの基準信号シンボル（図７〜図１１Ｂでは、それぞれ「ＲＳ０」、「ＲＳ４」、「ＲＳ７」、および「ＲＳ１１」と標示されたＲＳＳ０、ＲＳＳ４、ＲＳＳ７、およびＲＳＳ１１）が基準信号受信電力を測定するために利用可能であり、サブフレーム１および６（ＳＦ１およびＳＦ６）からの１つの基準信号シンボル（図７〜図１１Ｂでは「ＲＳ０」と標示されたＲＳＳ０）が基準信号受信電力を測定するために利用可能である。前に説明したように、たとえば、測定ウィンドウ内の４つの基準信号シンボルが基準信号受信電力を測定するために使用される。
【００５２】
[0062]一構成では、ネイバーセルのタイミングに関する測定ウィンドウのロケーションに基づいて、基準信号受信電力測定のための５つの異なるパターンがＴＤＤ−ＭＢＳＦＮシステムにおいて指定される。図８に、ＴＤＤ−ＭＢＳＦＮシステムにおいて基準信号受信電力を測定するための５つのパターンの例を示す。図８に示すように、測定ウィンドウ（Ｗ１〜Ｗ５）は、ネイバーセルタイミングに基づいて、ネイバーセルの非ＭＢＳＦＮダウンリンクサブフレームに関して異なる整合を有し得る。すなわち、ネイバーセルタイミングと測定ウィンドウタイミングは、任意であり、整合されないことがある。したがって、ＵＥによって開かれる測定ウィンドウは、ネイバーセルタイミングに基づいて非ＭＢＳＦＮダウンリンクサブフレームとの異なる整合を有し得る。したがって、５つの異なる測定ウィンドウロケーション（Ｗ１〜Ｗ５）は、測定ウィンドウとネイバーセルの非ＭＢＳＦＮダウンリンクサブフレームとの間の相対的タイミング差の例を示す。
【００５３】
[0063]図８は、本開示の一態様によるダウンリンクサブフレームと測定ウィンドウとの間のタイミングオフセットを示す図８００である。図８に示すように、ある場合には、第１の測定ウィンドウ（Ｗ１）が第１の非ＭＢＳＦＮダウンリンクサブフレーム（ＳＦ０）より前に開き得る。したがって、第１の測定ウィンドウでは、ＳＦ０からのＲＳＳ０、ＲＳＳ４、ＲＳＳ７、およびＲＳＳ１１と、ＳＦ１からのＲＳＳ０とが基準信号受信電力を測定するために利用可能であり得る。別の場合には、第２の測定ウィンドウ（Ｗ２）がＳＦ０のＲＳＳ０の時間期間中に開かれ得る。したがって、第２の測定ウィンドウでは、ＳＦ０からのＲＳＳ４、ＲＳＳ７、およびＲＳＳ１１と、ＳＦ１からのＲＳＳ０と、ＳＦ５からのＲＳＳ０とが基準信号受信電力を測定するために使用され得る。また別の場合には、第３の測定ウィンドウがＳＦ０のＲＳＳ４の時間期間中に開かれ得る。したがって、第３の測定ウィンドウ（Ｗ３）では、ＳＦ０からのＲＳＳ７およびＲＳＳ１１と、ＳＦ１からのＲＳＳ０と、ＳＦ５からのＲＳＳ０およびＲＳＳ４とが基準信号受信電力を測定するために使用され得る。
【００５４】
[0064]さらにまた別の場合には、第４の測定ウィンドウ（Ｗ４）がＳＦ０のＲＳＳ７の時間期間中に開かれ得る。したがって、第４の測定ウィンドウ（Ｗ４）では、ＳＦ０からのＲＳＳ１１と、ＳＦ１からのＲＳＳ０と、ＳＦ５からのＲＳＳ０、ＲＳＳ４、およびＲＳＳ７とが基準信号受信電力を測定するために使用され得る。別の場合には、第５の測定ウィンドウ（Ｗ５）がＳＦ０のＲＳＳ１１の時間期間中に開かれ得る。したがって、第５の測定ウィンドウでは、ＳＦ１からのＲＳＳ０と、ＳＦ５からのＲＳＳ０、ＲＳＳ４、ＲＳＳ７、およびＲＳＳ１１とが基準信号受信電力を測定するために使用され得る。
【００５５】
[0065]本開示の一態様によれば、近隣セルの非ＭＢＳＦＮサブフレームに対する測定ウィンドウのロケーションに基づいて、異なる基準信号組合せが基準信号受信電力を測定するために使用される。一構成では、第１の測定ウィンドウについて、ＳＦ０内の４つの基準信号シンボルが基準信号受信電力を測定するために使用され得る。さらに、第５の測定ウィンドウについて、ＳＦ５内の４つの基準信号シンボルが基準信号受信電力を測定するために使用され得る。この構成では、同じサブフレーム（ＳＦ０またはＳＦ５）からの基準信号シンボルのうちの２つが第１の基準信号シンボルペア中に含まれる。さらに、第２の基準信号シンボルペアは、第１の基準信号シンボルペアのために使用されるサブフレームからの他の２つの基準信号シンボルを含む。
【００５６】
[0066]この構成では、第１および第２の基準信号シンボルペアは、２つのＣＩＲを取得するためにそれぞれデスタッガされる。ドップラーレートがしきい値を上回る（たとえば、高い）とき、２つのＣＩＲは非コヒーレントに合成される。代替として、ドップラーレートがしきい値を下回るとき、ＣＩＲはコヒーレントに合成される。チャネルエネルギー応答（ＣＥＲ）が（コヒーレントにまたは非コヒーレントに）合成されたＣＩＲから取得される。雑音しきい値処理が信号エネルギータップを識別するために実行され得る。信号エネルギータップは、基準信号受信電力を取得するために蓄積される。この構成では、基準信号受信電力は、ＦＤＤシステムのための基準信号受信電力測定と同様の方法で測定され得る。
【００５７】
[0067]図９は、本開示の一態様による、第１の測定ウィンドウについて基準信号受信電力を測定することの例を示す図９００である。図９に示すように、第１の基準信号シンボルペアはＲＳＳ０とＲＳＳ４とを含み、第２の基準信号シンボルペアはＲＳＳ７とＲＳＳ１１とを含む。第１および第２の基準信号シンボルペアは、２つのＣＩＲを取得するためにデスタッガされる。２つのＣＩＲは、次いで、ＣＥＲを取得するために合成される。上記で説明したように、ドップラーレートがしきい値を上回るとき、２つのＣＩＲは非コヒーレントに合成される。代替として、ドップラーレートがしきい値を下回るとき、ＣＩＲはコヒーレントに合成される。
【００５８】
[0068]別の構成では、第２の測定ウィンドウについて、ＳＦ０のＲＳＳ４、ＲＳＳ７、およびＲＳＳ１１と、ＳＦ１のＲＳＳ０とが基準信号受信電力を測定するために使用され得る。図１０は、本開示の一態様による、第２の測定ウィンドウについて基準信号受信電力を測定することの例を示す図１０００である。図１０に示すように、第１の基準信号シンボルペアは、ＳＦ０からのＲＳＳ４とＲＳＳ７とを含み、第２の基準信号シンボルペアは、ＳＦ０からのＲＳＳ１１とＳＦ１からのＲＳＳ０とを含む。第１および第２の基準信号シンボルペアは、２つのＣＩＲを取得するためにデスタッガされ得、ＣＩＲは、ＣＥＲを取得するために合成され得る。雑音しきい値処理が信号エネルギータップを識別するために実行され得る。信号エネルギータップは、基準信号受信電力を取得するために蓄積される。
【００５９】
[0069]また別の構成では、第３および第４の測定ウィンドウについて、複数のサブフレームの基準信号シンボルが基準信号受信電力を測定するために使用され得る。すなわち、第３の測定ウィンドウについて、ＳＦ０からのＲＳＳ７およびＲＳＳ１１と、ＳＦ１からのＲＳＳ０と、ＳＦ５からのＲＳＳ０およびＲＳＳ４とが基準信号受信電力を測定するために使用され得る。さらに、第４の測定ウィンドウについて、ＳＦ０からのＲＳＳ１１と、ＳＦ１からのＲＳＳ０と、ＳＦ５からのＲＳＳ０、ＲＳＳ４、およびＲＳＳ７とが基準信号受信電力を測定するために使用され得る。
【００６０】
[0070]この構成では、基準信号シンボル合成は、複数のサブフレームにわたって選択された４つの基準信号シンボル、または複数のサブフレームにわたって選択された３つの基準信号シンボルに基づいて実行され得る。４つの基準信号シンボルが複数のサブフレームにわたって選択される場合、第１の基準信号シンボルペアは４つの基準信号シンボルから選択され、第２の基準信号シンボルペアは、第１の基準信号シンボルペアのために選択されない残りの基準信号シンボルから選択される。第１および第２の基準信号シンボルペアは、ＣＥＲを取得するために、デスタッガされ、非コヒーレントに合成される。基準信号受信電力は前の構成と同様に測定される。本構成では、基準信号シンボルが非隣接サブフレームから選択されるので、ＣＩＲは非コヒーレントに合成される。本明細書で説明したように、コヒーレント合成は、２つの量の位相が加算の前に不変であることを指すことがある。非コヒーレント合成は、加算より前に２乗することによって位相を除去することを指すことがある。
【００６１】
[0071]図１１Ａは、ネイバーセルタイミングが第３の測定ウィンドウ内に入り、基準信号受信電力を測定するために４つの基準信号シンボルが複数のサブフレームにわたって選択されるとき、基準信号受信電力を測定することの例を示す図１１００である。図１１Ａに示すように、ＳＦ０のＲＳＳ１１およびＳＦ１のＲＳＳ０が第１の基準信号シンボルペアのために選択され得、ＳＦ５のＲＳＳ０およびＲＳＳ４が第２の基準信号シンボルペアとして選択され得る。選択されたペアが非隣接サブフレームからのものであるので、選択されたペアは、２つのＣＩＲを取得するためにデスタッガされ、２つのＣＩＲは、ＣＥＲを取得するために非コヒーレントに合成される。基準信号受信電力は前の構成と同様の方法で測定される。
【００６２】
[0072]本構成では、３つの基準信号シンボルが複数のサブフレームにわたって選択される場合、第１の基準信号シンボルペアは、第１の選択された基準信号シンボルと第２の選択された基準信号シンボルとを含む。さらに、第２の基準信号シンボルペアは、たとえば、第２の選択された基準信号シンボルと第３の選択された基準信号シンボルとを含む。それらのペアはデスタッガされ、ＣＥＲを取得するためにＣＩＲが合成される。基準信号受信電力は、次いで、前の構成と同様の方法で測定される。
【００６３】
[0073]図１１Ｂは、ネイバーセルタイミングが第３の測定ウィンドウ内に入り、基準信号受信電力を測定するために３つの基準信号シンボルが複数のサブフレームにわたって選択されるとき、基準信号受信電力を測定することの例を示す図１１５０である。図１１Ｂに示すように、ＳＦ０のＲＳＳ７およびＲＳＳ１１が第１の基準信号シンボルペアのために選択され得、ＳＦ０のＲＳＳ１１およびＳＦ１のＲＳＳ０が第２の基準信号シンボルペアとして選択され得る。選択されたペアは、２つのＣＩＲを取得するためにデスタッガされ、２つのＣＩＲは、ＣＥＲを取得するために合成される。基準信号受信電力は、次いで、前の構成と同様に測定される。
【００６４】
[0074]図１２に、ワイヤレス通信のための方法１２００を示す。ブロック１２０２において、ＵＥは、接続モードギャップ中に測定ウィンドウロケーション内で検出された少なくとも２つのサブフレームから少なくとも３つの基準信号シンボルを選択する。ＵＥは、ブロック１２０４において、選択された基準信号シンボルを合成する。さらに、ブロック１２０６において、ＵＥは、合成することの結果に少なくとも部分的に基づいて基準信号受信電力を推定する。
【００６５】
[0075]一構成では、ＵＥ６５０は、ワイヤレス通信のために構成され、選択するための手段と、合成するための手段と、推定するための手段とを含む。一構成では、選択するための手段は、選択するための手段によって具陳された機能を実行するように構成された受信プロセッサ６５６、（１つまたは複数の）送信機／（１つまたは複数の）受信機６５４、コントローラ／プロセッサ６５９、メモリ６６０、チャネル推定器６５８、および／またはアンテナ６５２を含み得る。合成手段および推定手段は、コントローラ／プロセッサ６５９および／またはメモリ６６０を含み得る。別の構成では、上述の手段は、上述の手段によって具陳された機能を実行するように構成された任意のモジュールまたは任意の装置であり得る。
【００６６】
[0076]図１３は、処理システム１３１３を採用する装置１３００のための実装形態の一例を示す図である。処理システム１３１３は、バス１３２４によって概略的に表される、様々な要素を結合する相互接続アーキテクチャを用いて実装され得る。バス１３２４は、処理システム１３１３の特定の適用例および全体的な設計制約に応じて、任意の数の相互接続バスおよびブリッジを含み得る。バス１３２４は、プロセッサ１３２２、モジュール１３０２、１３０４、１３０６、およびコンピュータ可読媒体１３２６によって表される１つまたは複数のプロセッサおよび／またはモジュールを含む様々な回路および／または要素を互いにリンクする。バス１３２４はまた、タイミングソース、周辺機器、電圧調整器、および電力管理モジュールなど、様々な他の回路および／または要素をリンクし得るが、これらは当技術分野においてよく知られており、したがって、これ以上説明しない。
【００６７】
[0077]本装置は、トランシーバ１３３０に結合された処理システム１３１３を含む。トランシーバ１３３０は、１つまたは複数のアンテナ１３２０に結合される。トランシーバ１３３０は、伝送媒体を介して様々な他の装置と通信することを可能にする。処理システム１３１３は、コンピュータ可読媒体１３２６に結合されたプロセッサ１３２２を含む。プロセッサ１３２２は、コンピュータ可読媒体１３２６に記憶されたソフトウェアの実行を含む一般的な処理を担当する。ソフトウェアは、プロセッサ１３２２によって実行されたとき、処理システム１３１３に、たとえば、いずれかの特定の装置について説明した様々な機能を実行させる。コンピュータ可読媒体１３２６はまた、ソフトウェアを実行するときにプロセッサ１３２２によって操作されるデータを記憶するために使用され得る。
【００６８】
[0078]処理システム１３１３は、接続モードギャップ中に測定ウィンドウロケーション内で検出された少なくとも２つのサブフレームから少なくとも３つの基準信号シンボルを選択するための選択モジュール１３０２を含む。処理システム１３１３はまた、選択された基準信号シンボルを合成するための合成モジュール１３０４を含む。処理システム１３１３は、合成することの結果に少なくとも部分的に基づいてＲＳＲＰを推定するための推定モジュール１３０６をさらに含み得る。それらのモジュールは、プロセッサ１３２２中で動作し、コンピュータ可読媒体１３２６中に常駐する／記憶された、ソフトウェアモジュールであるか、プロセッサ１３２２に結合された１つまたは複数のハードウェアモジュールであるか、またはそれらの組合せであり得る。処理システム１３１３は、ＵＥ６５０の構成要素であり得、メモリ６６０および／またはコントローラ／プロセッサ６５９を含み得る。
【００６９】
[0079]さらに、本明細書の開示に関して説明した様々な例示的な論理ブロック、モジュール、回路、およびアルゴリズムステップは、ハードウェア、ソフトウェア、またはそれらの組合せとして実装され得ることを、当業者は諒解されよう。ハードウェアとソフトウェアのこの互換性を明確に示すために、様々な例示的な構成要素、要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００７０】
[0080]本明細書の開示に関して説明した様々な例示的な論理ブロック、モジュール、要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７１】
[0081]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＰＣＭ（相変化メモリ）、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００７２】
[0082]１つまたは複数の例示的な設計では、説明した機能は、ハードウェア、ソフトウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、フラッシュメモリ、ＰＣＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００７３】
[0083]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2015513843.tif 000003
【図２】
2015513843.tif 000004
【図３】
2015513843.tif 000005
【図４】
2015513843.tif 000006
【図５】
2015513843.tif 000007
【図６】
2015513843.tif 000008
【図７】
2015513843.tif 000009
【図８】
2015513843.tif 000010
【図９】
2015513843.tif 000011
【図１０】
2015513843.tif 000012
【図１１Ａ】
2015513843.tif 000013
【図１１Ｂ】
2015513843.tif 000014
【図１２】
2015513843.tif 000015
【図１３】
2015513843.tif 000016
【国際調査報告】
2015513843.tif 000017
2015513843.tif 000018
2015513843.tif 000019